(57)【要約】【課題】自動車用計器盤に応用されるバックライトの制御回路を提供することを目的とする。【解決手段】該制御回路は、複数の外部メッセージを受信し対応の複数の制御信号を発生させる入力装置と、前記入力装置からの前記複数の制御信号に基づいて指令を運算し、同時に複数の調光信号及び複数の表示信号を発生させる、複数のピンを有するマイクロコントローラユニットと、複数の光源を有するバックライトと、複数のパルス幅変調ユニットと、前記マイクロコントローラユニットからの前記複数の表示信号に基づいて、前記バックライト内のそれぞれの前記光源の輝度数値を表示する表示装置と、を備えて成る。それぞれの前記パルス幅変調ユニットは、前記マイクロコントローラユニットのそれぞれの前記ピンに電気的に接続されると共に前記バックライト内のそれぞれの前記光源に接続され、前記マイクロコントローラユニットからの前記複数の調光信号のパルス幅に基づいて、前記バックライト内のそれぞれの前記光源の輝度を調整することを特徴とする。【選択図】      図２ｂ
2010071972.tif 000002
【特許請求の範囲】
【請求項１】
自動車用計器盤に応用されるバックライトの制御回路であって、
複数の外部メッセージを受信し対応の複数の制御信号を発生させる入力装置と、
前記入力装置からの前記複数の制御信号に基づいて指令を運算し、同時に複数の調光信号及び複数の表示信号を発生させる、複数のピンを有するマイクロコントローラユニットと、
複数の光源を有するバックライトと、
複数のパルス幅変調ユニットと、
前記マイクロコントローラユニットからの前記複数の表示信号に基づいて、前記バックライト内のそれぞれの前記光源の輝度数値を表示する表示装置と、を備えて成り、
それぞれの前記パルス幅変調ユニットは、前記マイクロコントローラユニットのそれぞれの前記ピンに電気的に接続されると共に前記バックライト内のそれぞれの前記光源に接続され、前記マイクロコントローラユニットからの前記複数の調光信号のパルス幅に基づいて、前記バックライト内のそれぞれの前記光源の輝度を調整することを特徴とする制御回路。
【請求項２】
前記入力装置は複数の押しボタン、タッチパネル、又は数字キーボードであり、
前記表示装置は複数の七段液晶表示器又は複数の七段発光ダイオード表示器からなり、
前記複数の光源は赤色発光ダイオード、緑色発光ダイオード、及び青色発光ダイオードを含み、
それぞれの前記パルス幅変調ユニットはスイッチと、該スイッチに電気的に接続される抵抗器とを含むことを特徴とする請求項１記載の自動車用計器盤に応用されるバックライトの制御回路。
【請求項３】
前記スイッチはトランジスタであり、
それぞれの前記トランジスタは対応のそれぞれの前記調光信号のパルス幅に基づいて導通時間を決定することを特徴とする請求項２記載の自動車用計器盤に応用されるバックライトの制御回路。
【請求項４】
複数の光源を有するバックライトを含む自動車用計器盤に応用されるバックライトの制御方法であって、
複数の外部メッセージを受信し対応の複数の制御信号を発生させるステップと、
前記複数の制御信号に基づいて指令を運算し、複数の調光信号を発生させるステップと、
複数のパルス幅変調ユニットを使用して前記複数の調光信号を受信するステップと、を備えて成り、
それぞれの前記パルス幅変調ユニットは、それぞれの前記調光信号のパルス幅に基づいて、前記バックライト内の対応のそれぞれの前記光源の輝度を調整することを特徴とする制御方法。
【請求項５】
前記複数の光源は赤色発光ダイオード、緑色発光ダイオード、及び青色発光ダイオードを含み、
それぞれの前記パルス幅変調ユニットはスイッチと、該スイッチに電気的に接続される抵抗器とを含むことを特徴とする請求項４記載の自動車用計器盤に応用されるバックライトの制御方法。
【請求項６】
前記スイッチはトランジスタであり、
それぞれの前記トランジスタは対応のそれぞれの前記調光信号のパルス幅に基づいて導通時間を決定することを特徴とする請求項５記載の自動車用計器盤に応用されるバックライトの制御方法。
【発明の詳細な説明】
【技術分野】
【０００１】
本発明はバックライトの制御回路に関し、特に自動車用計器盤に応用されるバックライトの制御回路に関する。
【背景技術】
【０００２】
図１は従来の自動車用計器盤を示す図である。その計器盤には、スピード、燃料メーターなどが表示される。近年、調光機能を含むデジタル表示器が計器盤に搭載されることもある。計器盤に適用されるバックライト表示器を例として説明する。そのバックライトは、いずれの色を表示することができる。単色液晶は黄、緑、青、白などのバックライトを有する。彩色液晶は最も多くの色光を含み、白のバックライトを有する。バックライトの光源として、バルブ、ＥＬディスプレイ、発光ダイオード、冷陰極蛍光ランプでもある。
【０００３】
しかしながら、調光機能を含むデジタル表示器は光線の強度が予め設定されたものである。自動車内が過度の暗く・明るくなったら、運転手は車内の状況に基づいて光線の強度を調整できず、危険な状況に遭うこともある。
【発明の概要】
【発明が解決しようとする課題】
【０００４】
本発明は、上記の問題に鑑みてなされたものであり、その目的は、従来の自動車用計器盤を改善し、自動車用計器盤に応用されるバックライトの制御回路を提供することにある。
【課題を解決するための手段】
【０００５】
上記目的を達成するための本発明は、自動車用計器盤に応用されるバックライトの制御回路を提供することで上記課題を快適に解決する。該制御回路は、複数の外部メッセージを受信し対応の複数の制御信号を発生させる入力装置と、前記入力装置からの前記複数の制御信号に基づいて指令を運算し、同時に複数の調光信号及び複数の表示信号を発生させる、複数のピンを有するマイクロコントローラユニットと、複数の光源を有するバックライトと、複数のパルス幅変調ユニットと、前記マイクロコントローラユニットからの前記複数の表示信号に基づいて、前記バックライト内のそれぞれの前記光源の輝度数値を表示する表示装置と、を備えて成る。それぞれの前記パルス幅変調ユニットは、前記マイクロコントローラユニットのそれぞれの前記ピンに電気的に接続されると共に前記バックライト内のそれぞれの前記光源に接続され、前記マイクロコントローラユニットからの前記複数の調光信号のパルス幅に基づいて、前記バックライト内のそれぞれの前記光源の輝度を調整することを特徴とする。
【０００６】
前記入力装置は複数の押しボタン、タッチパネル、又は数字キーボードであり、前記表示装置は複数の七段液晶表示器又は複数の七段発光ダイオード表示器からなり、前記複数の光源は赤色発光ダイオード、緑色発光ダイオード、及び青色発光ダイオードを含み、それぞれの前記パルス幅変調ユニットはスイッチと、該スイッチに電気的に接続される抵抗器とを含むことを特徴とする。
【０００７】
前記スイッチはトランジスタであり、それぞれの前記トランジスタは対応のそれぞれの前記調光信号のパルス幅に基づいて導通時間を決定することを特徴とする。
【図面の簡単な説明】
【０００８】
【図１】従来の自動車用計器盤を示す図である。
【図２ａ】本発明による、自動車用計器盤に応用されるバックライトの制御回路を示す図である。
【図２ｂ】本発明による、自動車用計器盤に応用されるバックライトの制御回路を示す図である。
【図３】本発明による、六つの七段液晶表示器から構成された表示装置を示す図である。
【図４】自動車用計器盤に応用される本発明の入力装置、表示装置を示す図である。
【図５】本発明による他の、六つの七段液晶表示器から構成された表示装置を示す図である。
【図６】第１、第２、第３の方波のパルス幅を示す図である。
【図７】自動車用計器盤に応用される本発明の他の入力装置、表示装置を示す図である。
【図８】本発明による他の、自動車用計器盤に応用されるバックライトの制御回路を示す図である。
【発明を実施するための形態】
【０００９】
本願発明のその他の利点及び特徴については、以下に行う発明の実施の形態の説明から、より明らかとなるであろう。下記実施の形態は本発明の技術的手段をより具体的に詳述するためのもので、当然本発明はそれに限定されず、添付クレームの範囲を逸脱しない限り、当業者による単純な設計変更、付加、修飾、及び置換はいずれも本発明の技術的範囲に属する。
【００１０】
図２（ａ）、図２（ｂ）は自動車用計器盤に応用されるバックライトの制御回路を示す図である。制御回路２は入力装置２１と、複数のピンを有するマイクロコントローラユニット２２と、複数の光源を有するバックライト２３と、複数のパルス幅変調ユニット２４と、表示装置２５とを含む。この実施例における複数の光源２３は、赤色発光ダイオード２３１と、緑色発光ダイオード２３２と、青色発光ダイオード２３３とを含む。複数のパルス幅変調ユニット２４は、光源２３の赤色に対応するための第１パルス幅変調ユニット２４１と、光源２３の緑色に対応するための第２パルス幅変調ユニット２４２と、光源２３の黄色に対応するための第３パルス幅変調ユニット２４３と、を含む実施例として説明する。表示装置２５は複数の七段液晶表示器或いは複数の七段発光ダイオードによって構成される。赤色発光ダイオード２３１、緑色発光ダイオード２３２、及び青色発光ダイオード２３３に対応するために、図３には、表示装置２５はＬ１、Ｌ２、Ｌ３、Ｌ４、Ｌ５及びＬ６のような六つの七段液晶表示器によって説明される。
【００１１】
図４は、自動車用計器盤に応用される本発明の入力装置２１、表示装置２５を示す図である。入力装置２１は複数の押しボタン、タッチパネル、又は数字キーボードである。ユーザーが入力装置２１を一回以上タッチしたら、入力装置２１は対応に制御信号を生成する。
【００１２】
入力装置２１へ入力される信号は文字或いは音である。この実施例において、二つのボタンを例にして説明する。図４に示したように、一つのボタンがＳＥＴと標示され、もう一つのボタンがＭＯＤＥと標示される。図２ｂに示したように、対応に、ボタンＳＥＴがＳＷ２と標示され、ボタンＭＯＤＥがＳＷ１と標示される。ユーザーが三つの光源を含む該バックライトを用いて、色の選択機能或いは他の機能をしようとすると、ボタンＳＥＴ又はボタンＭＯＤＥを押すことを通じて対応に複数の制御信号を生成する。即ち、それらのスイッチは、複数の外部信号を受信して対応に複数の制御信号を生成する。
【００１３】
ボタンＭＯＤＥを押すことは、赤色、緑色、青色の三つの発光ダイオードから一つを選択することを表す。ボタンＳＥＴを押すことは、選択した一つの発光ダイオードに対して色のクロマを調整することを表す。ＭＯＤＥボタンＳＷ１を一回押すと、ＭＯＤＥボタンＳＷ１は導通になり、同時に第１モード制御信号ＭＯＤＥ１（２進法）を生成する。第１モード制御信号ＭＯＤＥ１はマイクロコントローラユニット２２のピンＰＡ３を通じてマイクロコントローラユニット２２へ信号処理に伝送される。一方、ＳＥＴボタンＳＷ２を一回押すと、ＳＥＴボタンＳＷ２は導通になり、同時に第１セット制御信号ＳＥＴ１（２進法）を生成する。第１セット制御信号ＳＥＴ１はマイクロコントローラユニット２２のピンＰＡ４を通じてマイクロコントローラユニット２２へ信号処理に伝送される。そのように、ＭＯＤＥボタンＳＷ１、ＳＥＴボタンＳＷ２を多回押すと、ＭＯＤＥボタンＳＷ１、ＳＥＴボタンＳＷ２はそれぞれ、対応に複数のモード制御信号、複数のセット制御信号を生成する。
【００１４】
ピンＰＡ３から第１モード制御信号ＭＯＤＥ１、ピンＰＡ４から第１セット制御信号ＳＥＴ１を受信したマイクロコントローラユニット２２は、内蔵のメモリー（図に示さず）によってコード処理をする。そのメモリーはＲＡＭ、ＰＲＯＭ、ＥＰＲＯＭ、ＯＴＰＲＯＭ、Ｆｌａｓｈ  Ｍｅｍｏｒｙ、及びＥＥＰＲＯＭの一つである。
【００１５】
マイクロコントローラユニット２２には、上記のメモリーの外、さらにそのメモリーに電気的に接続する算術ユニット（ＡＬＵ）（図に示さず）を含む。ピンＰＡ３から第１モード制御信号ＭＯＤＥ１、ピンＰＡ４から第１セット制御信号ＳＥＴ１が連続的に該算術ユニットに入る際に、該算術ユニットは該メモリーに貯蔵された現時の赤、緑、青色発光ダイオードからの光線の輝度の数値資料を読み出し、多回の整数算術運算（integral arithmetic operation）及びビットシフティング運算（bit-shifting operation）によって新たな赤、緑、青色発光ダイオードからの光線の輝度の数値資料を獲得する。その後、該算術ユニットはそれらの新たな数値資料を該メモリーに再び書き込んで更新する。同時に、該算術ユニットは関連のあるコードに基づいて複数の対応の線路を通じてそれらの新たな数値資料を赤、緑、青色発光ダイオードの対応するマイクロコントローラユニット２２の三つのピン（ＰＡ２、ＰＡ１、ＰＡ０）と、Ｌ１〜Ｌ６の六つの七段液晶表示器とに伝送する。
【００１６】
以下、図２ｂ及び図３を参照して、Ｌ１〜Ｌ６の六つの七段液晶表示器とマイクロコントローラユニット２２との間の動作を説明する。
【００１７】
第１段ａ１〜第７段ｇ１を具備する七段液晶表示器Ｌ１は符号−を表示し、第１段ａ２〜第７段ｇ２を具備する七段液晶表示器Ｌ２は赤色発光ダイオードからの光線輝度数値資料を表示する。第１段ａ３〜第７段ｇ３を具備する七段液晶表示器Ｌ３は符号−を表示し、第１段ａ４〜第７段ｇ４を具備する七段液晶表示器Ｌ４は緑色発光ダイオードからの光線輝度数値資料を表示する。第１段ａ５〜第７段ｇ５を具備する七段液晶表示器Ｌ５は符号−を表示し、第１段ａ６〜第７段ｇ６を具備する七段液晶表示器Ｌ６は青色発光ダイオードからの光線輝度数値資料を表示する。それぞれのＬ１〜Ｌ６の七段液晶表示器のそれぞれの段はマイクロコントローラユニット２２のピンＳ０〜Ｓ１１及びＣ０〜Ｃ３を通じて、該メモリーに貯蔵された、更新した、該表示装置の表示した赤、緑、青色発光ダイオードからの光線輝度数値資料を受信する。
【００１８】
ユーザーが赤色発光ダイオードの赤色光の輝度を増加すると、ＭＯＤＥボタンＳＷ１が一回押されて第１モード制御信号ＭＯＤＥ１が生成されて、ＳＥＴボタンＳＷ２が一回押されて第１セット制御信号ＳＥＴ１が生成される。マイクロコントローラユニット２２の対応の線路を通じて、制御信号ＳＥＴ１、ＭＯＤＥ１は該算術ユニットへ信号処理に伝送される。
【００１９】
そのようにして、該算術ユニットは、ＰＡ３ピンからの第１モード制御信号ＭＯＤＥ１に基づいて該メモリに貯蔵された赤色光源の輝度数値３を読み出し、ＰＡ４ピンに伝送された第１セット制御信号ＳＥＴ１に基づいて、光源の輝度数値３及び第１セット制御信号ＳＥＴ１を加法運算を進み、遂に新たな赤色光源の輝度数値４（２５６／８＊４と表示される）を獲得する。該算術ユニットが新たな赤色光源の輝度数値４を該メモリーに書き込んだ後、新たな赤色光源の輝度数値４は該メモリーを通じて、赤色光源の輝度数値を表示するための表示器Ｌ２へ原赤色光源の輝度数値の更新に伝送される。表示器Ｌ２の第１段ａ２〜第７段ｇ２は、マイクロコントローラユニット２２のピンＳ２、Ｓ３、Ｃ０〜Ｃ３に伝送された赤色光源の輝度数値を通じて、点亮されるかどうかを決定する。新たな赤色光源の輝度数値が４になると、図３及び図５に示したように、表示器Ｌ２のｆ２、ｇ２、ｂ２、ｃ２は点亮され、同時に緑色光源の輝度数値Ｌ４、青色光源の輝度数値Ｌ６は相変わらずそれぞれ２、４を表示する。
【００２０】
図２ｂと図６を参照する。該メモリーに貯蔵された−赤−緑−青（−４−２−４）の光源輝度数値はそれぞれマイクロコントローラユニット２２のピンＰＡ２、ＰＡ２、ＰＡ０を通じて電圧タイプの第１方波、第２方波、第３方波として、第１パルス幅変調ユニット２４１、第２パルス幅変調ユニット２４２、第３パルス幅変調ユニット２４３へ対応の信号処理に出力される。第１方波、第２方波、第３方波はそれぞれ赤光調光信号、緑光調光信号、青光調光信号である。各パルス幅変調ユニットはスイッチと、及びそのスイッチと接続される抵抗器とを含む。図６において、ピンＰＡ２からの第１方波の幅の低レベルは、パルス幅の八分の三に代わって、パルス幅の八分の四になる。その際に、ピンＰＡ１からの第２方波の幅の低レベルはパルス幅の八分の二になり、ピンＰＡ０からの第３方波の幅の低レベルはパルス幅の八分の三になる。それは、それぞれのパルス幅の縦座標に対して、５Ｖの電圧値に相当する。
【００２１】
上記に述べたスイッチはトランジスターである。そのトランジスターはバイポーラトランジスター（ＢＪＴ）又は電界効果トランジスター（ＦＥＴ）でもある。この実施例には、ＰＮＰ型バイポートランジスターを例として説明する。
【００２２】
図２ｂに示したように、第１パルス幅変調ユニット２４１内の第１ＰＮＰ型ＢＪＴ２４１１は、ベースに、マイクロコントローラユニット２２のピンＰＡ２からの第１方波が第１抵抗器Ｒ１にバイアスされてなる第１ベース電流Ｉ１が入力される。第２ＰＮＰ型ＢＪＴ２４２１は、ベースに、マイクロコントローラユニット２２のピンＰＡ１からの第２方波が第２抵抗器Ｒ２にバイアスされてなる第２ベース電流Ｉ２が入力される。第３ＰＮＰ型ＢＪＴ２４３１は、ベースに、マイクロコントローラユニット２２のピンＰＡ０からの第３方波が第３抵抗器Ｒ３にバイアスされてなる第３ベース電流Ｉ３が入力される。
【００２３】
第１ベース電流Ｉ１、第２ベース電流Ｉ２、及び第３ベース電流Ｉ３はそれぞれ生成される際に、各ベース電流は各トランジスターをＯＮにすることができる。相反的に、それらの方波の一が八分の零のような低レベルになると、いずれかのベース電流は生成られなく、対応のＰＮＰ型ＢＪＴはＯＦＦにされる。
【００２４】
第１ＰＮＰ型ＢＪＴ２４１１がＯＮになっている期間はマイクロコントローラユニット２２のピンＰＡ２からの第１方波の低レベルのパルス幅（４／８Ｔの低レベル；Ｔは周期）に基づく。第２ＰＮＰ型ＢＪＴ２４２１がＯＮになっている期間はマイクロコントローラユニット２２のピンＰＡ１からの第２方波の低レベルのパルス幅（２／８Ｔの低レベル）に基づく。第３ＰＮＰ型ＢＪＴ２４３１がＯＮになっている期間はマイクロコントローラユニット２２のピンＰＡ０からの第３方波の低レベルのパルス幅（４／８Ｔの低レベル）に基づく。第１ＰＮＰ型ＢＪＴ２４１１がＯＮになっている期間はもとの３／８Ｔの低レベルから４／８Ｔの低レベルに増加する。
【００２５】
第１ＰＮＰ型ＢＪＴ２４１１、第２ＰＮＰ型ＢＪＴ２４２１、第３ＰＮＰ型ＢＪＴ２４３１がＯＮになっている場合、５Ｖの操作電圧ＶＣＣは、第１ＰＮＰ型ＢＪＴ２４１１、第２ＰＮＰ型ＢＪＴ２４２１、第３ＰＮＰ型ＢＪＴ２４３１のそれぞれのエミッタに入力される。遂に、第１ＰＮＰ型ＢＪＴ２４１１のエミッタとコレクタと間に第１エミッタ−コレクタバイアスＶｅｃ１（５Ｖ）が生成され、第２ＰＮＰ型ＢＪＴ２４２１のエミッタとコレクタと間に第２エミッタ−コレクタバイアスＶｅｃ２（５Ｖ）が生成され、第３ＰＮＰ型ＢＪＴ２４３１のエミッタとコレクタと間に第３エミッタ−コレクタバイアスＶｅｃ３（５Ｖ）が生成される。
【００２６】
赤色発光ダイオード２３１が要る第１正向電流の値ＩＬＥＤ＿Ｒは下記の第１調光運算式ＦＵＮ−１によって得られる。
【００２７】
ＩＬＥＤ＿Ｒ＝（５Ｖ−２Ｖ）／２２０Ω＊（４／８）．．．ＦＵＮ−１
その中、５Ｖは第１ＰＮＰ型ＢＪＴ２４１１のエミッタとコレクタと間の第１エミッタ−コレクタバイアスＶｅｃ１であり、２Ｖは赤色発光ダイオード２３１の逆向低電圧であり、４／８はマイクロコントローラユニット２２のピンＰＡ２からの第１方波の低レベルのパルス幅（４／８Ｔの低レベルを有し）の比率である。該第１正向電流が赤色発光ダイオード２３１に入る際に、赤色光の波長の光線は生成される。
【００２８】
緑色発光ダイオード２３２が要る第２正向電流の値ＩＬＥＤ＿Ｇは下記の第２調光運算式ＦＵＮ−２によって得られる。
【００２９】
ＩＬＥＤ＿Ｇ＝（５Ｖ−２Ｖ）／２２０Ω＊（２／８）．．．ＦＵＮ−２
その中、５Ｖは第２ＰＮＰ型ＢＪＴ２４２１のエミッタとコレクタと間の第２エミッタ−コレクタバイアスＶｅｃ２であり、２Ｖは緑色発光ダイオード２３２の逆向低電圧であり、２／８はマイクロコントローラユニット２２のピンＰＡ１からの第２方波の低レベルのパルス幅（２／８Ｔの低レベルを有し）の比率である。該第２正向電流が緑色発光ダイオード２３２に入る際に、緑色光の波長の光線は生成される。
【００３０】
青色発光ダイオード２３３が要る第３正向電流の値ＩＬＥＤ＿Ｂは下記の第３調光運算式ＦＵＮ−３によって得られる。
【００３１】
ＩＬＥＤ＿Ｂ＝（５Ｖ−２Ｖ）／２２０Ω＊（４／８）．．．ＦＵＮ−３
その中、５Ｖは第３ＰＮＰ型ＢＪＴ２４３１のエミッタとコレクタと間の第３エミッタ−コレクタバイアスＶｅｃ３であり、２Ｖは青色発光ダイオード２３３の逆向低電圧であり、４／８はマイクロコントローラユニット２２のピンＰＡ０からの第３方波の低レベルのパルス幅（４／８Ｔの低レベルを有し）の比率である。該第３正向電流が青色発光ダイオード２３３に入る際に、青色光の波長の光線は生成される。
【００３２】
第１調光運算式ＦＵＮ−１によって得られる第１正向電流の値ＩＬＥＤ＿Ｒは、（５Ｖ−２Ｖ）／２２０Ω＊（３／８）から（５Ｖ−２Ｖ）／２２０Ω＊（４／８）に増加し、光線の輝度がより強い赤色光の波長の光線は生成される。
【００３３】
図７は、自動車用計器盤に応用される本発明の他の入力装置、表示装置を示す図である。外来信号を受信するための入力装置はＲ  ＭＯＤＥと標示したボタンであり、ユーザーがバックライトの一つとしての赤色発光ダイオードの光線輝度を増加してボタンＲ  ＭＯＤＥを一回押す際に、図８に示したそれと対応に接続されているスイッチＲ  ＭＯＤＥ  ＳＷＲは少なくとも一つの外来信号を受信して対応の少なくとも一つの制御信号ＭＯＤＥ  Ｒを生成する。ピンＰＡ３を通じてそれと接続されているマイクロコントローラユニット８０はスイッチＲ  ＭＯＤＥ  ＳＷＲからの少なくとも一つの制御信号ＭＯＤＥ  Ｒに基づいて少なくとも一つの調光信号ＬＲと少なくとも一つの表示信号（図示せず）を生成する。マイクロコントローラユニット８０のピンＰＡ２と、及びバックライト８２と接続されている調整ユニット８１はマイクロコントローラユニット８０からの少なくとも一つの調光信号ＬＲに基づいて対応にバックライト８２の輝度を調整する。調整ユニット８１は、例えば、バイポーラトランジスター（ＢＪＴ）や電界効果トランジスターなどのトランジスター８１１と、それと接続されている抵抗器８１２とを含む。
【００３４】
上記実施の形態は本発明の技術的手段をより具体的に詳述するためのもので、当然本発明はそれに限定されず、添付クレームの範囲を逸脱しない限り、当業者による単純な設計変更、付加、修飾、及び置換はいずれも本発明の技術的範囲に属する。
【符号の説明】
【００３５】
２…バックライトの制御回路、２１…入力装置、２２…マイクロコントローラユニット、２３…バックライト、２３１…赤色発光ダイオード、２３２…緑色発光ダイオード、２３３…青色発光ダイオード、２４…パルス幅変調ユニット、２４１…第１パルス幅変調ユニット、２４１１…第１ＰＮＰ型ＢＪＴ、２４２…第２パルス幅変調ユニット、２４２１…第２ＰＮＰ型ＢＪＴ、２４３…第３パルス幅変調ユニット、２４３１…第３ＰＮＰ型ＢＪＴ、２５…表示装置、８…バックライトの制御回路、８０…マイクロコントローラユニット、８１…調整ユニット、８１１…トランジスター、８１２…抵抗器、８２…バックライト、８３…表示装置、ＳＷ１，ＳＥＴ…スイッチ、ＳＷ２，ＭＯＤＥ…スイッチ、Ｒ１〜Ｒ６…抵抗器。
【図１】
2010071972.tif 000003
【図２ａ】
2010071972.tif 000004
【図２ｂ】
2010071972.tif 000005
【図３】
2010071972.tif 000006
【図４】
2010071972.tif 000007
【図５】
2010071972.tif 000008
【図６】
2010071972.tif 000009
【図７】
2010071972.tif 000010
【図８】
2010071972.tif 000011